(57)【特許請求の範囲】
【請求項１】
反力部材とワイヤを使用して地中連続壁用部材を位置調整して地中連続壁を構築する地中連続壁構築方法において、
単体の地中連続壁用部材の底部に複数のワイヤの一端を取り付け、
前記地中連続壁用部材を箱状に形成した反力部材に内挿し、
前記反力部材に収容した地中連続壁用部材の底部の外方の位置に、可動可能に取り付けられた複数の作用部材に前記ワイヤを係留させて、他端を上方に導き、
ワイヤの他端から上方に引張力を加えて、反力部材に反力を得て地中連続壁用部材の下端部を水平方向に移動して位置調整することを特徴とする、
地中連続壁構築方法。
【発明の詳細な説明】
【０００１】
【発明の属する技術分野】
本発明は、地中連続壁の構築に関するものである。
【０００２】
【従来の技術】
従来、地中連続壁の構築において、掘削溝内に建て込まれた地中連続壁用部材の位置がずれている場合、地中連続壁用部材の上端部のみの位置調整を行い、地中連続壁用部材の鉛直度の管理を行っている。そのため、地中連続壁用部材の下端部のずれを調整することができなかった。
【０００３】
また、掘削溝内に建て込まれた地中連続壁用部材の位置が大きくずれている場合、地中連続壁用部材を掘削溝から引き抜いて、再度建て込み直しを行っている。そのため、位置調整に多大な時間を要し、固化材が硬化してしまうことがある。また、礫質土層や玉石混じり土層では、位置調整が難しかった。
【０００４】
【発明が解決しようとする課題】
＜イ＞本発明は、地中連続壁の構築位置の精度を高めることにある。
＜ロ＞また、本発明は、地中連続壁用の連壁部材の下端部を容易に移動できるようにすることにある。
【０００５】
【課題を解決するための手段】
本発明は、反力部材とワイヤを使用して地中連続壁用部材を位置調整して地中連続壁を構築する地中連続壁構築方法において、単体の地中連続壁用部材の底部に複数のワイヤの一端を取り付け、前記地中連続壁用部材を箱状に形成した反力部材に内挿し、前記反力部材に収容した地中連続壁用部材の底部の外方の位置に、可動可能に取り付けられた複数の作用部材に前記ワイヤを係留させて、他端を上方に導き、ワイヤの他端から上方に引張力を加えて、反力部材に反力を得て地中連続壁用部材の下端部を水平方向に移動して位置調整することを特徴とする、地中連続壁構築方法にある。
【０００６】
【発明の実施の形態】
以下、本発明の実施の形態を説明する。
【０００７】
＜イ＞地中連続壁の構築方法
本発明の地中連続壁は、安定液固化壁、鋼製地中連続壁、柱列式地中連続壁などがあり、例えば図１（Ａ）のように地中連続壁用部材を連結し、又は、図１（Ｂ）のようにＨ鋼などの地中連続壁用部材を独立して掘削溝内に建て込んで構築される。例えば図１（Ａ）のように地中連続壁用部材を連結する場合を例に取ると、地中連続壁１の構築は、掘削溝１１を掘り、掘削溝１１内にコンクリートなどの固化材１２を充填しておく。又は、掘削溝１１を掘った土砂とセメントを混合したソイルセメントなどの固化材１２を掘削溝１１内に充填しておく。掘削溝１１の構造は、用途や場所などの条件で適宜決定され、例えば、深度を約５０ｍとし、幅を約７００ｍｍとする。
地中連続壁用部材２を掘削溝１１内に建て込む。地中連続壁用部材２は、両端に継手部２１を有する。継手部２１は、スリット部を有する空洞部、又は、空洞部に挿入される挿入部を有している。地中連続壁用部材２は、例えば鋼製地中連続壁用部材ＮＳ−ＢＯＸ（ＧＨ−Ｒ）と（ＧＨ−Ｉ）を使用できる。ＮＳ−ＢＯＸ（ＧＨ−Ｒ）は、両フランジの継手部が縦方向にスリット部を有し、断面がほぼ円筒形を有する空洞部を備えている。また、ＮＳ−ＢＯＸ（ＧＨ−Ｉ）は、両フランジの継手部の断面がほぼＴ字形を有する挿入部を備えている。これらの地中連続壁用部材の空洞部に挿入部を挿入し、掘削溝内に交互に連結し、建て込みを行う。ＮＳ−ＢＯＸは、高さ約６００ｍｍであり、ピッチ約７００ｍｍである。
【０００８】
最初に建て込む地中連続壁用部材２は、固化材１２が充填した掘削溝１１内に、掘削溝１１の中心線上で鉛直に建て込む。次の地中連続壁用部材２は、最初の地中連続壁用部材２に連結する。そのため、最初の地中連続壁用部材２の建て込み位置がずれていると、次々に連結された地中連続壁用部材２の建て込み位置がずれることになる。そこで、特に、最初に建て込む地中連続壁用部材２については、位置ずれがあり、また鉛直に配置されていない場合、位置修正を行う。当然、途中の地中連続壁用部材２でも位置修正を行っても良い。
【０００９】
＜ロ＞ワイヤによる位置修正
地中連続壁用部材２の位置を修正するために、地中連続壁用部材２の下端部を移動する。例えば図２のように、ワイヤ４を地中連続壁用部材２の上部、例えば上端部にワイヤ４の一端を取り付け、ワイヤ４を地中連続壁用部材２の下部、例えば下端部に回し、更に、ワイヤ４の他端を上方に引き出す。そして、ワイヤ４のどちらかの端を固定し、他方の端を上方に引く、即ち上方に引張力を付与する。これにより、地中連続壁用部材２の下端部を水平方向に移動して、地中連続壁用部材２を鉛直状態に位置修正することができる。
【００１０】
＜ハ＞反力部材による位置修正
図３（Ａ）では、地中連続壁用部材２の下端部を矢印方向に移動して、地中連続壁用部材２を鉛直状態に位置修正することができる。図３は、位置修正用の反力部材３を使用した例を示している。反力部材３を地中連続壁用部材２と共に掘削溝１１内に配置する。なお、図３（Ａ）は掘削溝１１に建て込まれた地中連続壁用部材２と反力部材３の下面図であり、図３（Ｂ）は断面図である。
【００１１】
反力部材３は、地中連続壁用部材２に偶力即ち回転モーメントを作用し、地中連続壁用部材２の下端部を移動できればよい。反力部材３は、例えば図３のように地中連続壁用部材２を内部に収容する箱状のものに形成する。地中連続壁用部材２に力を作用するもの、即ちワイヤ４を地中連続壁用部材２に取り付け、反力部材３にはスリップするように係り受けして、上方まで延ばして配置する。上方からワイヤ４を引くことにより、図３（Ａ）の矢印のように、地中連続壁用部材２の下端部を移動する。なお、位置の修正は、例えば地中連続壁用部材２に傾斜計１３を取り付け、傾斜計１３を見ながら調整するとよい。
【００１２】
詳細には、ワイヤａ〜ｄを地中連続壁用部材２の下端部の４隅の係止部２２に取り付け、反力部材３の作用部材３１に係り受けし、上方に延ばす。ワイヤａ〜ｄを選択して、引っ張る（引張力を加える）ことにより、地中連続壁用部材２の下端部の移動方向を選択することができる。
【００１３】
係止部２２では、ワイヤ４を折り返し、二本の状態で上方まで配置するとよい。４本のワイヤａ〜ｄを各下端部で折り返すことにより、上方で一端を放し他端を引っ張ることにより、ワイヤ４を反力部材３や地中連続壁用部材２から取り外すことができる。
【００１４】
作用部材３１は、ワイヤ４をスリップ可能に保持するもので、ワイヤ４の張力を地中連続壁用部材２に効率よく伝達するものである。反力部材３に対して自由に位置が移動できるようにすることにより、地中連続壁用部材２の下端部の移動方向の選択を容易にしている。
【００１５】
ワイヤ４による引っ張り力の代わりに、ジャッキ３３など押具により押圧力（押す力、プッシュ力）を加えて位置調整しても良い。例えば図４のように、反力部材３と地中連続壁用部材２の間にジャッキ３３を配置し、地中連続壁用部材２に押圧力を付与して、位置調整を行うことができる。その際、ジャッキ３３と地中連続壁用部材２の間に支圧板付ジャッキ３２を配置すると、より効率的にかつ均等に地中連続壁用部材２に力を作用することができる。
【００１６】
図５のように、掘削溝１１の側面に鋼板などの反力部材３を配置する。反力部材３の一部、例えば下方にジャッキ３３を取り付け、地中連続壁用部材２を押す（押圧力を加える）ことにより地中連続壁用部材２に力を作用し、位置調整をすることができる。
【００１７】
反力部材３の固定方法は、種々の方法があり、例えば、反力部材３の下端に突起を出し、反力部材３を掘削溝１１内に配置する際、地中に突起を突き刺して固定することができる。又は、反力部材３の自重で掘削溝１１内にめり込み、固定することもできる。又は、ジャッキ３３やウエイトなどの器具を使用して掘削溝１１内に固定することができる。
【００１８】
＜ニ＞上端固定部材による位置修正
上端固定部材５は、地中連続壁用部材２の上端部の一部を固定し、上端部の他部に力を作用することにより、地中連続壁用部材２に偶力を作用して地中連続壁用部材２の下端部を水平方向に移動する。上端固定部材５は、例えば図６の場合、地中連続壁用部材２の上端部を固定するように２カ所に支点５１を備え、支点５１は、ジャッキ３３などなどの押具に取り付けられて位置が上下するように調整される。ジャッキ３３は梁５２に取り付けられ、梁５２の両端下端に柱５３を取り付けて、掘削溝１１を跨ぐように配置される。上端固定部材５は、自重で地中連続壁用部材２の上端部を固定してもよく、又は地山に固定して上端部を固定してもよい。なお、図６（Ａ）は、地中連続壁用部材２の上端にに作用する支点と作用点を示す斜視図であり、図６（Ｂ）は、地中連続壁用部材２の上部に上端固定部材５を配置した上面図であり、図６（Ｃ）は、図６（Ｂ）の側面の断面図である。
【００１９】
ワイヤ４を地中連続壁用部材２の上端部の他部に取り付け、他部を上方に引き上げる（上方に引張力を加える）。これにより、地中連続壁用部材２に偶力がかかり、地中連続壁用部材２の下端部を水平方向に移動することができる。地中連続壁用部材２の支点位置とワイヤ４の取り付け位置を選択することにより、地中連続壁用部材２の傾斜を鉛直に調整することができる。
【００２０】
又は、図６のワイヤ４で引き上げる代わりに、ジャッキなどの押具を使い、地中連続壁用部材２の上端部の他部を下方に押し下げ（下方に押圧力を付与し）ても良い。その場合、支点５１などの他の構成は、同じでよい。これにより、地中連続壁用部材２に偶力がかかり、地中連続壁用部材２の下端部を水平方向に移動することができる。
【００２１】
【発明の効果】
本発明は、次のような効果を得ることができる。
＜イ＞本発明は、地中連続壁の構築位置の精度を高めることができる。
＜ロ＞また、本発明は、地中連続壁用の連壁部材の下端部を容易に移動することができる。
＜ハ＞また、本発明は、地中連続壁用の連壁部材を容易に鉛直にすることができる。
【図面の簡単な説明】
【図１】地中連続壁の構築図
【図２】地中連続壁用部材とワイヤによる位置調整図
【図３】地中連続壁用部材と反力部材による位置調整図
【図４】地中連続壁用部材と反力部材とジャッキによる位置調整図
【図５】保持材とジャッキによる位置調整図
【図６】地中連続壁用部材と上端固定部材による位置調整図
【符号の説明】
１・・・地中連続壁
１１・・掘削溝
１２・・固化材
１３・・傾斜計
２・・・地中連続壁用部材
２１・・継手
２２・・係止部
３・・・反力部材
３１・・作用部材
３２・・支圧板付ジャッキ
３３・・ジャッキ
４・・・ワイヤ
５・・・上端固定部材
５１・・支点
５２・・梁
５３・・柱
【図１】
0004136275.tif 000002
【図２】
0004136275.tif 000003
【図３】
0004136275.tif 000004
【図４】
0004136275.tif 000005
【図５】
0004136275.tif 000006
【図６】
0004136275.tif 000007